(57)【特許請求の範囲】
【請求項１】
配管の内外に空気を流通させる通気構造を備えない２階建て集合住宅の排水管設備であって、
１階の床下のスペースと２階の床下のスペースとに配設された第１の多口管継手と第２の多口管継手とを備えるとともに、該第１の多口管継手と該第２の多口管継手との間に介装された排水立て管と、前記第１の多口管継手の下側に接続された横主管と、を備え、
前記第１の多口管継手と前記第２の多口管継手は、その胴部の外周に排水横枝管を接続することのできる横枝管受け口を複数備えており、１階と２階の床下のスペースのそれぞれには、台所流し、浴室、洗面台等の複数の排水器具のそれぞれが接続された複数の排水横枝管が配されて、前記第１の多口管継手ないし前記第２の多口管継手の横枝管受け口に接続されており、前記第１の多口管継手と前記第２の多口管継手の横枝管受け口の設けられた胴部は直管状であって、径が前記排水立て管及び各排水横枝管よりも大きく、前記横主管は、径が前記排水立て管よりも大きいことを特徴とする２階建て集合住宅の排水管設備。
【請求項２】
請求項１に記載の２階建て集合住宅の排水管設備に用いられる多口管継手であって、
外周に横枝管受け口を複数備える直管状の胴部を備えており、該胴部の管軸方向の一端側に設けられた排水立て管を挿入して接続することのできる立て管受け口と、他端側に設けられた該胴部と同径の直管状に延設された管状部とを有し、
前記胴部及び前記管状部の径は、前記立て管受け口に接続される排水立て管よりも大きく、
２階の床下のスペースには前記管状部が上で前記立て管受け口が下になるように配設され、１階の床下のスペースには前記立て管受け口が上で前記管状部が下になるように配設されることを特徴とする２階建て集合住宅用多口管継手。
【発明の詳細な説明】
【技術分野】
【０００１】
本発明は、２階建て集合住宅の排水管設備及びその排水管設備に用いられる多口管継手
に関する。
【背景技術】
【０００２】
従来、２階建て集合住宅の排水管設備は、２階の各住戸に設置された台所流し、浴室又は洗面台等のいわゆる水回り器具（排水器具）が、床下に配設された一本の排水横枝管の中間に次々に接続されており、複数の排水器具から排出された排水（器具排水）を排水横枝管で合流させたうえで、排水立て管に流入させる構成が一般的であった。これは、従来の２階建て集合住宅では、その建築構造上、２階の床下のスペースが小さく、どうにか排水横枝管の排水勾配を確保できる程度であったために、このように各器具排水を床下の排水横枝管で合流させて、よりコンパクトな継手を介して排水立て管に流入させる配管構成が、長年の間、２階建て集合住宅での常識となっていたためである。
【０００３】
しかし、かかる配管構成では、排水立て管の下端にはＬ字形に屈曲した脚部継手を介して横主管に接続されており、排水立て管中を垂直に流下した排水は、脚部継手で急激に流れ方向を横方向に変えられ、建物の外へと導かれる。そのため、排水立て管を流下する排水（立て管排水）の量が多すぎると、脚部継手の屈曲部分において排水が一時的に滞留して管を閉塞し、管内の圧力が急激に変動して排水器具の排水トラップの破封を引き起こす問題があった。この問題に対し、下記特許文献１には、立て管排水を旋回させることで管内の通気を確保することが提案されている。かかる技術によれば、通気管や通気弁のような通気装置を用いることなく、立て管排水の量が多すぎる場合に生じる排水トラップの破封の問題を解決することができる。
【先行技術文献】
【特許文献】
【０００４】
【特許文献１】特開２００３−３４２９８４号公報
【発明の概要】
【発明が解決しようとする課題】
【０００５】
しかしながら、一本の排水横枝管に複数の器具排水を合流させたうえで排水立て管に流入させる従来の配管構成においては、排水横枝管に対して、一つの排水器具から大量の排水が流入すると、他の排水器具からスムーズに排水できなかったり、或いは、排水横枝管に大量の排水が一気に流入することで、排水横枝管が閉塞されて管内の圧力が急激に変動し、誘導サイフォン作用により、各排水器具の排水トラップの破封を招くという問題があった。このような排水横枝管で生じる問題には、上記従来技術では対応することができず、上記従来の配管構成をとる限りにおいて、根本的に解決することはできなかった。
【０００６】
そこで、本発明者らが上記排水横枝管で生じる問題を解決すべく鋭意検討していたところ、折しも、２階建ての集合住宅では、上下階の騒音や漏水の問題を解決すべく１階と２階との層間に薄いＰＣ板（プレキャストコンクリート板）を配するなど、建築構造が変わりつつあった。それにより、２階の床下のスペースに依然として限りはあるものの、従来に比べると若干拡がる傾向にあった。本発明者らは、この若干ではあるが従来よりも拡がった床下のスペースに着眼し、従来の２階建て集合住宅の配管構造の常識に全く囚われない新規の配管構成を想起した。その結果、立て管排水の量が多すぎる場合に生じる排水トラップの破封の問題と、排水横枝管に大量の排水が一気に流入することによる排水トラップの破封の問題とを同時に解決することのできる排水管設備を、通気管や通気弁のような特別の通気装置を設けることなく構成するに至った。
【０００７】
すなわち、本発明の課題は、２階建て集合住宅において、排水器具から大量に排水が流入してもスムーズに排出することができ、且つ、各排水器具の排水トラップが破封しにくい排水管設備を、通気管や通気弁のような特別の通気装置を設けることなく構成することにある。
【課題を解決するための手段】
【０００８】
上記課題を解決するために本発明は次の手段を採用する。
本発明は、配管の内外に空気を流通させる通気構造を備えない２階建て集合住宅の排水管設備であって、１階の床下のスペースと２階の床下のスペースとに配設された第１の多口管継手と第２の多口管継手とを備えるとともに、該第１の多口管継手と該第２の多口管継手との間に介装された排水立て管と、前記第１の多口管継手の下側に接続された横主管と、を備え、前記第１の多口管継手と前記第２の多口管継手は、その胴部の外周に排水横枝管を接続することのできる横枝管受け口を複数備えており、１階と２階の床下のスペースのそれぞれには、台所流し、浴室、洗面台等の複数の排水器具のそれぞれが接続された複数の排水横枝管が配されて、前記第１の多口管継手ないし前記第２の多口管継手の横枝管受け口に接続されており、前記第１の多口管継手と前記第２の多口管継手の横枝管受け口の設けられた胴部は直管状であって、径が前記排水立て管及び各排水横枝管よりも大きく、前記横主管は、径が前記排水立て管よりも大きいことを特徴とする。
【０００９】
かかる排水管設備によれば、一本の排水横枝管に対して基本的に一つの排水器具が接続されており、各排水横枝管が、複数の横枝管受け口を備える多口管継手の各横枝管受け口に接続されている。一本の排水横枝管に対して基本的に一つの排水器具が接続されているため、排水横枝管において、他の排水器具の排水（器具排水）による誘導サイフォン作用が生じることがなく、排水器具の排水トラップが破封するのを防ぐことができる。また、他の器具排水に妨げられることなく、各排水器具において常にスムーズに排水することができる。また、複数の排水横枝管を多口管継手において同一管底レベルで接続することができ、排水横枝管の排水勾配を確保しやすい。
【００１０】
かかる排水管設備では、各器具排水は各排水横枝管内を横方向に流れ、多口管継手で合流し、向きを変えて下向きに速度を上げて流れることとなる。ここで、排水横枝管が接続された多口管継手の胴部は、下向きの排水経路を形成する排水立て管よりも径の大きい直管状であるから、流入する排水によって、排水経路が閉塞されにくく、管内の圧力変動を抑制することができる。そして、流下した排水は、第１の多口管継手の下側に接続された横主管へ案内され、横方向へ向きを変え、速度を落として流れることとなる。ここで、下向きの排水経路を形成する排水立て管よりも、その先の横向きの排水経路を形成する横主管の径が大きいため、排水が横方向に方向へ向きを変えて速度が低下しても、その排水により横主管は閉塞されにくい。したがって、排水器具から排水が大量に流入してもスムーズに排水することができ、且つ、各排水器具の排水トラップが破封しにくい。
【００１１】
また、かかる排水管設備に用いられる好ましい多口管継手として、外周に横枝管受け口を複数備える直管状の胴部を備えており、該胴部の管軸方向の一端側に設けられた排水立て管を挿入して接続することのできる立て管受け口と、他端側に設けられた該胴部と同径の直管状に延設された管状部とを有し、前記胴部及び前記管状部の径は、前記立て管受け口に接続される排水立て管よりも大きく、２階の床下のスペースには前記管状部が上で前記立て管受け口が下になるように配設され、１階の床下のスペースには前記立て管受け口が上で前記管状部が下になるように配設されることを特徴とする２階建て集合住宅用多口管継手がある。
【００１２】
かかる多口管継手によれば、上下反転させることで、１階の床下のスペースにも２階の床下のスペースにも配することができ、上記排水管設備における第１の多口管継手と第２の多口管継手として用いることができる。したがって、多口管継手の種類が増えるのを抑制することができる。また、第１の多口管継手として１階の床下のスペースに配された多口管継手は、管状部が下になっており、管と管とを接続するため従来の接続手段をそのまま適用することによって、容易に横主管と接続することが可能である。
【発明の効果】
【００１３】
本発明の排水管設備によれば、通気管や通気弁のような特別の通気装置を設けることなく、排水器具から大量に排水が流入してもスムーズに排出することができ、且つ、各排水器具の排水トラップが破封するのを抑制することができる。
【図面の簡単な説明】
【００１４】
【図１】本発明の実施形態に係る排水管設備の正面図である。
【図２】本発明の実施形態に係る多口管継手の平面図である。
【図３】図２に示される多口管継手のＩＩＩ−ＩＩＩ線断面図である。
【図４】図２に示される多口管継手のＩＶ−ＩＶ線断面図である。
【図５】本発明の実施形態に係る多口管継手の閉止蓋の正面図である。
【発明を実施するための形態】
【００１５】
本発明の一実施形態について、図面を参照しながら説明する。図１に示される本実施形態の排水管設備Ｈ１は、２階建て集合住宅に備えつけられた排水管設備である。この集合住宅には、図示は省略するが、１階と２階のそれぞれに、例えば、大便器、台所流し、浴室、洗面台等の複数の排水器具が備えつけられている。１階の床ＦＬ１は、根太（図示省略）で支持された合板からなる下張材１の上面に、合板に樹脂等で形成されたフロア材が積層されてなる床材３が張られてなる。この明細書では、１階の床ＦＬ１の下のスペースＵＦ１を１階の床下のスペースＵＦ１と称する。２階の床ＦＬ２は、１階の床ＦＬ１と同様に、下張材１の上面に床材３が張られてなる。そして、その下には、間隔を置いてコンクリート板Ｃが配されている。この明細書では、２階の床ＦＬ２とコンクリート板Ｃとの間のスペースＵＦ２を２階の床下のスペースＵＦ２と称する。コンクリート板Ｃの下面には下張材５が配されており、図示は省略するが、１階の天井材が支持されている。
【００１６】
排水管設備Ｈ１は、１階の床下のスペースＵＦ１に配設された第１の多口管継手１１と、２階の床下のスペースＵＦ２に配設された第２の多口管継手２１とを備えるとともに、第１の多口管継手１１と第２の多口管継手２１との間に介装された排水立て管１５と、第１の多口管継手１１の下側に脚部継手１９を介して接続された横主管１７と、１階と２階の各床下のスペースＵＦ１，ＵＦ２に配された複数の排水横枝管１３ａ，１３ｂ，２３ａ，２３ｂとを主体として構成されている。
【００１７】
各階の床下のスペースＵＦ１，ＵＦ２に配管された排水横枝管１３ａ，１３ｂ，２３ａ，２３ｂは、それぞれその一端がその階に設置された一つの排水器具と接続されており、他端がその階に設置された第１の多口管継手１１ないし第２の多口管継手２１に接続されている。したがって、２階に設置された各排水器具の排水は、それぞれ排水横枝管２３ａ，２３ｂ内を流れて第２の多口管継手２１で合流して排水立て管１５内を流下し、更に、この流下してきた排水と、排水横枝管１３ａ，１３ｂ内を流れてきた１階の各排水器具の排水とが第１の多口管継手１１で合流する。そして、Ｌ字形に屈曲した脚部継手１９を介して第１の多口管継手１１の下側に接続された横主管１７に流入し、建物の外へ排水される。以下、この排水管設備Ｈ１を構成する各部材について説明する。
【００１８】
＜排水横枝管１３ａ，１３ｂ，２３ａ，２３ｂについて＞
排水横枝管１３ａ，１３ｂ，２３ａ，２３ｂは、基本的には、それぞれその一端が一つの排水器具に接続されており、１階ないし２階の床下のスペースＵＦ１，ＵＦ２において、排水勾配を確保して横方向（水平方向）に配管されている。そして、他端は、第１の多口管継手１１ないし第２の多口管継手２１の横枝管受け口３３，３５に挿入されて第１の多口管継手１１ないし第２の多口管継手２１に接続されている。排水横枝管１３ａ，１３ｂ，２３ａ，２３ｂとしては、例えば、硬質塩化ビニル管を用いることができる。
【００１９】
＜排水立て管１５について＞
排水立て管１５は、第１の多口管継手１１と第２の多口管継手２１とに介装され、垂直に配設されている。排水立て管１５としては、例えば、直管状の硬質塩化ビニル管を用いることができる。
【００２０】
＜横主管１７について＞
横主管１７は、１階の床下のスペースＵＦ１において排水勾配を確保して横方向に配管されており、その一端が脚部継手１９を介して第１の多口管継手１１の下側に接続されている。横主管１７は、排水立て管１５よりも径が大きく、好ましくは、横主管１７の直径が排水立て管１５の直径の１．２〜１．６倍である。本実施形態では、排水立て管１５の呼び径が７５であるのに対して横主管１７の呼び径は１００であり、呼び径が１サイズ大きい管が用いられている。横主管１７としては、例えば、硬質塩化ビニル管を用いることができる。
【００２１】
＜脚部継手１９について＞
横主管１７と第１の多口管継手１１とを接続する脚部継手１９は、同径の管をＬ字状に接続することのできる継手である。脚部継手１９は、Ｌ字形に屈曲した管状の胴部１９ａを備えるとともに、該胴部１９ａの両端に拡径された受け口１９ｂ，１９ｃを備える。一方の受け口１９ｂには横主管１７が挿入して接続され、他方の受け口１９ｃには後述する第１の多口管継手１１の直管部４５が挿入して接続されている。
【００２２】
＜第１の多口管継手１１及び第２の多口管継手２１について＞
本実施形態では、１階の床下のスペースＵＦ１に配設された第１の多口管継手１１と、２階の床下のスペースＵＦ２に配設された第２の多口管継手２１として、同形の多口管継手３１を上下反転させて用いている。そこで、まず、この多口管継手３１について説明する。
【００２３】
図１において第２の多口管継手２１として示されるように、多口管継手３１は、排水横枝管２３ａ，２３ｂの直管状の端部を挿入して接続可能な横枝管受け口３３，３５，３７を備えている。本明細書では、多口管継手３１の管軸方向において、横枝管受け口３３，３５，３７の設けられた部位を胴部３９と称する。胴部３９は、直管状であり、その径は横主管１７と等しい。胴部３９を挟んで軸方向の一端側には立て管受け口４１が設けられており、他端側には直管部４５が設けられている。立て管受け口４１は、胴部３９よりも径の小さい排水立て管１５を挿入して接続可能となっており、テーパ部４３を介して胴部３９と接続形成されている。図３に示されるように、直管部４５は、胴部３９を同径のまま延長した直管状であり、その径は横主管１７と等しい。そして、直管部４５の管軸方向の長さＤは、少なくとも、後で詳述する脚部継手１９の受け口１９ｃに挿入して接続することのできる長さである。本実施形態では、直管部４５の管軸方向の長さＤは５０ｍｍである。
【００２４】
本実施形態の多口管継手３１の胴部３９には、管軸回りの３方向に横枝管受け口３３，３５，３７が設けられている。この多口管継手３１では、相互に対向して位置する横枝管受け口３３，３５よりも、これらの横枝管受け口３３，３５とは直交し、内壁面と対向する横枝管受け口３７の方が大径の排水横枝管を接続可能なサイズとされている。本実施形態では、具体的には、横枝管受け口３３，３５は呼び径５０、横枝管受け口３７は呼び径７５の排水横枝管に対応している。各横枝管受け口３３，３５，３７は、管軸方向の立て管受け口４１側の端部が同一レベルに設けられている。多口管継手３１は、上記横枝管受け口３３，３５，３７のサイズ設定により、相互に対向して位置する横枝管受け口３３，３５には、主として、台所流し、浴室、洗面台等の雑排水用の排水器具が接続されるのに対し、内壁面と対向する横枝管受け口３７には、大便器も接続可能となっている。この相対的に大径の排水横枝管に対応した横枝管受け口３７に対向する内壁面には、図２に示されるように、管内方に張り出す一対の流入防止壁４７ａ，４７ｂが設けられている。流入防止壁４７ａ，４７ｂは、図４に示されるように、横枝管受け口３７に対向する内壁面に投影された横枝管受け口３７の両側において管軸方向に延びて設けられており、投影された横枝管受け口３７の上端位置から下端位置よりも下まで延びている。この流入防止壁４７ａ，４７ｂにより、横枝管受け口３７から一気に大量の排水が流入して横枝管受け口３７に対向する内壁面に衝突したときに、その排水が内壁面に沿って左右に分岐して側方の横枝管受け口３３，３５に逆流するのを防止することができる。かかる構成の多口管継手３１は、例えば、排水用硬質塩化ビニルで形成することができる。
【００２５】
多口管継手３１は、図１に示されるように、１階の床下のスペースＵＦ１においては、立て管受け口４１が上で、直管部４５が下になるように配設されて第１の多口管継手１１とされている。そして、この第１の多口管継手１１の上部に位置する立て管受け口４１に排水立て管１５の下端部が挿入されて接続されている。なお、排水立て管１５は、その大部分が１階の床上に配設されているが、１階の床ＦＬ１に形成された貫通孔ＣＨ１により１階の床下のスペースＵＦ１に配設された第１の多口管継手１１との接続が許容されている。また、第１の多口管継手１１の下端に位置する直管部４５は、脚部継手１９の受け口１９ｃに挿入されて脚部継手１９に直に接続されている。
【００２６】
多口管継手３１は、２階の床下のスペースＵＦ２においては、立て管受け口４１が下で、直管部４５が上になるように配設されて第２の多口管継手２１とされている。この第２の多口管継手２１の下端に位置する立て管受け口４１は、コンクリート板Ｃ及び下張材５に形成された貫通孔ＣＨ２を貫通して垂下しており、排水立て管１５の上端部が挿入されて接続されている。一方、第２の多口管継手２１の上端に位置する直管部４５は、臭気漏れを防ぐためにキャップ２５で閉鎖されている。
【００２７】
以上の構成の排水管設備Ｈ１によれば、以下の作用効果を奏する。
まず、各排水横枝管１３ａ，１３ｂ，２３ａ，２３ｂからの横向きに流れる排水が合流する第１の多口管継手１１及び第２の多口管継手２１胴部３９は、下向きに排水を流す排水立て管１５よりも径が大きく、排水の流入に伴う管内の圧力変動を抑制することができる。そして、横主管１７の径が排水立て管１５の径よりも大きいため、流下した排水が横主管１７に案内されて速度を落として横方向に流れ始めても、横主管１７が完全に閉塞されることはなく、管内の圧力変動を抑制することができる。そのため、排水器具から排水が大量に流入してもスムーズに排水することができ、且つ、各排水器具の排水トラップが破封しにくい。更に、かかる作用効果を得るにあたり、本実施形態の排水管設備Ｈ１は配管の内外に空気を流通させるための特別の通気構造を要しない。そのため、第２の多口管継手２１は、空気の流通スペースを確保する目的で２階の床ＦＬ２の下面との距離が制約されることはなく、第２の多口管継手２１の上端部を床ＦＬ２に極近接して配設することができる。したがって、限られた２階の床下のスペースＵＦ２にも配設しやすい。
【００２８】
また、上記実施形態では、１階の床下のスペースＵＦ１に配設された第１の多口管継手１１と、２階の床下のスペースＵＦ２に配設された第２の多口管継手２１として、同形の多口管継手３１を上下反転させて用いている。そのため、多口管継手の種類を少なく抑えることができる。また、多口管継手３１は、第１の多口管継手１１として１階の床下のスペースＵＦ１に配設された状態では、直管部４５が下側に位置し、脚部継手１９に直に接続することができる。したがって、別部材の管などを介することなく継手同士を直接繋ぐことができ、排水管設備Ｈ１を構成する部品点数を少なく抑えることができる。
【００２９】
なお、本発明は、その要旨を逸脱しない範囲内でその他種々の実施の形態が考えられるものである。
例えば、横枝管受け口３７は、異径管接続具を用いてサイズダウンして雑排水用の排水器具を接続してもよい。その場合、例えば、図１に二点鎖線で示されるような異径管接続具５１が好ましく用いられる。異径管接続具５１は、横枝管受け口３７に挿入接続可能な相対的に大径の直管状である大径部５１ａと、接続する排水横枝管と同径の直管状である小径部５１ｂとが、外周の１点が重複するように軸方向に無段で接続形成されている。この無段部位５１ｃが管軸方向の立て管受け口４１側に位置するように大径部５１ａを横枝管受け口３７に挿入して異径管接続具５１を横枝管受け口３７に装着することで、小径部５１ｂが他の横枝管受け口３３，３５に接続される排水横枝管１３ａ，１３ｂ，２３ａ，２３ｂと同一高さレベルに配置され、横枝管受け口３７から外方へ突出する。そして、この小径部５１ｂと排水横枝管とを、同径管を接続するためのソケット等の接続手段を介して接続することで、横枝管受け口３７とは合致しないより小径の排水横枝管と接続することができる。
【００３０】
また、多口管継手３１に設けられる横枝管受け口３３，３５，３７は、上記実施形態で例示したサイズに限定されるものではない。横枝管受け口３３，３５，３７は、例えば、呼び径５０、６５、７５から選択的組み合わせによって設けることができる。
【００３１】
また、横枝管受け口３３，３５，３７の全てに必ずしも排水横枝管を接続しなければならないわけではなく、使用しない横枝管受け口３３，３５，３７は、例えば、図５に示されるような閉止蓋５３を装着して閉止される。図４に示されるように、閉止蓋５３は、横枝管受け口３３に内嵌される筒状であり、その一端部５３ａが閉塞されている。閉止蓋５３は、その閉塞された一端部５３ａが多口管継手３１の内方に位置するように挿入され横枝管受け口３３を閉塞する。閉止蓋５３は、筒状の内側において一端部５３ａから外方へ張り出して把手５３ｂが設けられており、この把手５３ｂを摘んで横枝管受け口３３に押し込むことで、横枝管受け口３３に容易に装着することができる。
【００３２】
また、第２の多口管継手２１の上端部を閉鎖するキャップ２５には、開閉可能な掃除口を設けることもできる。その場合、掃除口から洗浄ノズルを差し込み、第２の多口管継手２１、排水立て管１５、第１の多口管継手１１及び横主管１７の内部を掃除することができる。
【符号の説明】
【００３３】
１１   第１の多口管継手
１３ａ，１３ｂ 排水横枝管
１５   排水立て管
１７   横主管
１９   脚部継手
２１   第２の多口管継手
２３ａ，２３ｂ       排水横枝管
２５   キャップ
３１   多口管継手
３３，３５，３７    横枝管受け口
３９   胴部
４１   立て管受け口
４３   テーパ部
４５   直管部
４７ａ，４７ｂ       流入防止壁
ＦＬ１ （１階の）床
ＦＬ２ （２階の）床
Ｈ１   排水管設備
ＵＦ１ １階の床下のスペース
ＵＦ２ ２階の床下のスペース
【図１】
0005538956.tif 000002
【図２】
0005538956.tif 000003
【図３】
0005538956.tif 000004
【図４】
0005538956.tif 000005
【図５】
0005538956.tif 000006